(57)【要約】【課題】  二次側巻線の短絡が生じるのを防止可能であると共に、端子間の間隔が幅広となるのを抑えることが可能なリーケージトランスを提供すること。【解決手段】  一次側巻線７０に対して二次側巻線７１が上下方向に重ねられて配置されるリーケージトランス１０であり、一次側巻線７０の一端側および他端側が夫々絡げられる複数の一次側端子３５ｂ〜３５ｅを具備する。また、二次側巻線７１のうち、一端側を絡げる第１の絡げ端子３６を具備する第１の端子台３２ａを具備し、さらに二次側巻線７１のうち、他端側を絡げる第２の絡げ端子３８ｂ，３８ｃを具備する第２の端子台３２ｂと、を具備する。【選択図】  図１
2005101357.tif 000002
【特許請求の範囲】
【請求項１】
一次側巻線に対して二次側巻線が上下方向に重ねられて配置されるリーケージトランスにおいて、
上記一次側巻線の一端側および他端側が夫々絡げられる複数の一次側端子を具備すると共に、上記二次側巻線の一端側を絡げる第１の絡げ端子を具備する第１の端子台と、
上記二次側巻線の他端側を絡げる第２の絡げ端子を具備する第２の端子台と、
を具備することを特徴とするリーケージトランス。
【請求項２】
前記一次側巻線が巻回される第１の巻枠部と、前記二次側巻線が巻回される第２の巻枠部とを有する複数の二段コイルボビンと、
上記複数の二段コイルボビンの間に配置されると共に、上記一次側巻線のうち磁気結合の調整をする調整部分が巻回される調整用コイルボビンと、
上記二段コイルボビンおよび上記調整用コイルボビンをそれぞれ保持する柱脚部と、その柱脚部の外側を囲む側壁とを有し、この側壁で囲まれる凹陥部に上記二段コイルボビンおよび上記調整用コイルボビンが嵌め込まれるコアと、
を具備し、上記二段コイルボビンは、前記第１の端子台および前記第２の端子台を一体化していることを特徴とする請求項１記載のリーケージトランス。
【請求項３】
前記第１の絡げ端子の前記第１の端子台に対する付け根と前記一次側端子の前記第１の端子台に対する付け根との間の間隔よりも、前記第１の絡げ端子の先端側と前記一次側端子の先端側との間の間隔の方が広く設けられる状態で、前記第１の絡げ端子の先端の方向が、前記一次側端子の先端の方向に対して傾斜して設けられていることを特徴とする請求項１又は２記載のリーケージトランス。
【請求項４】
前記第１の絡げ端子の先端の方向は、前記一次側端子の先端の方向に対して略３０〜６０度の角度範囲内で傾斜していることを特徴とする請求項１から３のいずれか１項に記載のリーケージトランス。
【請求項５】
前記第１の絡げ端子は、グラウンドに接続されるためのグラウンド端子に電気的に接続されていると共に、このグラウンド端子は、前記第１の絡げ端子に隣り合う状態で配置されていることを特徴とする請求項１から４のいずれか１項に記載のリーケージトランス。
【請求項６】
前記二段コイルボビンは、上鍔部、中鍔部および下鍔部を有すると共に、これら上鍔部と中鍔部の間に前記第１の巻枠部が設けられると共に、上記中鍔部と上記下鍔部の間に前記第２の巻枠部が設けられることを特徴とする請求項２から５のいずれか１項に記載のリーケージトランス。
【請求項７】
前記第１の絡げ端子は、棒状体に設けられていると共に、前記一次側端子および前記グラウンド端子の先端側は、前記第１の絡げ端子よりも前記コアの底面側に向かって突出していることを特徴とする請求項２から６のいずれか１項に記載のリーケージトランス。
【請求項８】
前記コアは、
底面から上方に向かって立設されている前記柱脚部と、この底面の外周縁部において上方に向かって立設されている前記側壁とを具備するケースコアと、
上記ケースコアに取り付けられると共に、このケースコアとの間の部位に前記二段コイルボビンおよび前記調整用コイルボビンが収納される蓋コアと、
を具備することを特徴とする請求項２から７のいずれか１項に記載のリーケージトランス。
【請求項９】
前記第１の絡げ端子の前記第１の端子台における付け根は、前記一次側端子および前記グラウンド端子の前記第１の端子台における付け根よりも前記ケースコアの短手方向の中心側に位置していることを特徴とする請求項５から８のいずれか１項に記載のリーケージトランス。
【発明の詳細な説明】
【技術分野】
【０００１】
本発明は、例えば、ＴＶモニターやパーソナルコンピュータの表示装置におけるバックライト用放電灯の点灯回路等に用いられる、ＤＣ／ＡＣインバータ回路等に使用されるリーケージトランスに関する。
【背景技術】
【０００２】
パーソナルコンピュータ等の表示装置は、バックライト用放電灯の点灯回路を具備している。この点灯回路においては、高電圧化によって表示装置を駆動させるためのリーケージトランスが、一般に用いられている。
【０００３】
この種のリーケージトランスは、例えば特許文献１および特許文献２に記載されている構成がある。これら特許文献１および特許文献２記載の構成では、一次側巻線の一端側および他端側が、一方の端子台から突出する夫々異なる２端子に接続されている。また、二次側巻線の一端側および他端側が、他方の端子台から突出する夫々異なる２端子に接続されている。
【０００４】
【特許文献１】特許２６２８５２４号公報（請求項１、段落番号００１０、００１１、図１および図５参照）
【特許文献２】特開２００２−２９９１３４号公報（段落番号００１６、００１、図５参照）
【発明の開示】
【発明が解決しようとする課題】
【０００５】
上述したような、特許文献１および特許文献２記載の構成では、同じ端子台から突出する２端子に、二次側巻線の両端側が接続されている。すなわち、二次側巻線の一端側と他端側とが、近接した状態で配置される。そのため、二次側巻線の一端側と他端側とが接続されている２端子に埃等が付着すると、高圧側の二次側巻線の一端側と他端側との間で短絡が生じる危険性がある。このような短絡が生じた場合には、二次側巻線の一端側と他端側との間の電位差が高いため、リーケージトランスが破損する場合がある。
【０００６】
このような不具合を防止するために、二次側巻線の一端側と他端側とが接続される２端子の間隔を広げる構成を採用することもできる。しかしながら、かかる間隔を広げた構成を採用すると、リーケージトランスが幅広となってしまい、当該リーケージトランスが大型化してしまう。この場合、リーケージトランスの小型化の要請に反する結果となる。
【０００７】
本発明は上記の事情にもとづきなされたもので、その目的とするところは、二次側巻線の短絡が生じるのを防止可能であると共に、端子間の間隔が幅広となるのを抑えることが可能なリーケージトランスを提供しよう、とするものである。
【課題を解決するための手段】
【０００８】
上記課題を解決するために、本発明は、一次側巻線に対して二次側巻線が上下方向に重ねられて配置されるリーケージトランスにおいて、一次側巻線の一端側および他端側が夫々絡げられる複数の一次側端子を具備すると共に、二次側巻線のうち、一端側を絡げる第１の絡げ端子を具備する第１の端子台と、二次側巻線のうち、他端側を絡げる第２の絡げ端子を具備する第２の端子台と、を具備するものである。
【０００９】
このように構成した場合には、第２の端子台が具備する第２の絡げ端子には、二次側巻線の一端側が絡げられる。また、第１の端子台が具備する第１の絡げ端子には、二次側巻線の一端側が絡げられる。そのため、二次側巻線の一端側と他端側とは、それぞれ別途の端子台に設けられる。それによって、二次側端子の一端側と他端側とが同一の端子台に近接した状態で配置され、互いに短絡するのが防止される。
【００１０】
このような、短絡を防ぐことにより、リーケージトランスが破損するのが防止される。特に、二次側巻線の一端側と他端側との間には、励磁によって高い電位差が生じる。そのため、上述のようにして短絡を防止すれば、リーケージトランスの破損を良好に防止できる。また、二次側巻線を接続する端子間の間隔が幅広となるのを抑えることが可能となる。
【００１１】
また、他の発明は、上述の発明に加えて更に、一次側巻線が巻回される第１の巻枠部と、二次側巻線が巻回される第２の巻枠部とを有する複数の二段コイルボビンと、複数の二段コイルボビンの間に配置されると共に、一次側巻線のうち磁気結合の調整をする調整部分が巻回される調整用コイルボビンと、二段コイルボビンおよび調整用コイルボビンをそれぞれ保持する柱脚部と、その柱脚部の外側を囲む側壁とを有し、この側壁で囲まれる凹陥部に二段コイルボビンおよび調整用コイルボビンが嵌め込まれるコアと、を具備し、二段コイルボビンは、第１の端子台および第２の端子台を一体化しているものである。
【００１２】
このように構成した場合には、第１の巻枠部と第２の巻枠部との夫々に、一次側巻線と二次側巻線とが巻回される。この場合、二段コイルボビンには、第１の巻枠部と、第２の巻枠部とが設けられるので、コイルボビンを２つ高さ方向に重ねた場合と比較して、１つのコイルボビンを設けるだけで済む。そのため、部品点数を少なくすることができ、コイルボビンの組み付けの際の工数を削減可能となる。また、二段コイルボビンは、第１の端子台と第２の端子台とを一体化しているため、二次側巻線の一端側を第１の絡げ端子に、他端側を第２の絡げ端子に絡げた後に、当該二次側巻線の巻回が緩んだり断線する等の不具合を防止することができる。そのため、端子台が別体である場合と比較して、組み立て易くなる。
【００１３】
また、コイルボビンが、上下方向に重ねられないため、リーケージトランスの低背化を図ることが可能となる。また、調整用コイルボビンが設けられ、この調整用コイルボビンに一次側巻線のうち調整部分が巻回される。それにより、調整部分を、この調整用コイルボビンにて、確実に保持することができる。また、二段コイルボビンの第１の巻枠部に対して、一次側巻線が巻回される。そのため、一次側巻線の取り付けに際して、該一次側巻線のボンディングが不要となり、コストを削減することが可能となる。
【００１４】
さらに、他の発明は、上述の各発明に加えて更に、第１の絡げ端子の第１の端子台に対する付け根と一次側端子の第１の端子台に対する付け根との間の間隔よりも、第１の絡げ端子の先端側と一次側端子の先端側との間の間隔の方が広く設けられる状態で、第１の絡げ端子の先端の方向が、一次側端子の先端の方向に対して傾斜して設けられているものである。
【００１５】
このように構成した場合には、第１の絡げ端子の先端側に向かうにつれて、一次側端子との間の間隔が広がる。そのため、第１の絡げ端子と一次側端子との間の間隔を、必要以上に広く取る必要がなくなる。また、第１の絡げ端子の先端側に向かうにつれて、一次側端子との間の間隔が広がるため、当該第１の絡げ端子に二次側巻線の一端側を巻回させた場合でも、当該一端側が一次側端子と接触するのが防止される。
【００１６】
また、他の発明は、上述の各発明に加えて更に、第１の絡げ端子の先端の方向は、一次側端子の先端の方向に対して略３０〜６０度の角度範囲内で傾斜しているものである。
【００１７】
このように構成した場合には、第１の絡げ端子の先端側は、一次側端子の先端側に対して有効に広げられる。そのため、二次側巻線を、第１の絡げ端子に良好に巻回させることが可能となる。
【００１８】
さらに、他の発明は、上述の各発明に加えて更に、第１の絡げ端子は、グラウンドに接続されるためのグラウンド端子に電気的に接続されていると共に、このグラウンド端子は、第１の絡げ端子に隣り合う状態で配置されているものである。
【００１９】
このように構成した場合には、第１の絡げ端子に二次側巻線の一端側が絡げられた場合、この二次側巻線の一端側は、グラウンドに対して電気的に接続された状態となる。それによって、当該一端側は、電位の基準となる。また、両者が電気的に接続される結果、第１の絡げ端子に絡げられている二次側巻線の一端側が、グラウンド端子に接触しても良くなる。このため、二次側巻線の一端側を第１の絡げ端子に巻回させるに際して、必要以上に注意せずに済む。
【００２０】
また、他の発明は、上述の各発明に加えて更に、二段コイルボビンは、上鍔部、中鍔部および下鍔部を有すると共に、これら上鍔部と中鍔部の間に前記第１の巻枠部が設けられると共に、中鍔部と下鍔部の間に第２の巻枠部が設けられるものである。
【００２１】
このように構成した場合には、二段コイルボビンの中鍔部が、第１の巻枠部の下鍔部と、第２の巻枠部の上鍔部とを兼ねるので、コイルボビンを２つ高さ方向に重ねた場合と比較して、鍔部が１つ分省かれる。そのため、鍔部１つ分だけ高さを低くすることができ、リーケージトランスの低背化を図ることが可能となる。
【００２２】
さらに、他の発明は、上述の各発明に加えて更に、第１の絡げ端子は、棒状体に設けられていると共に、一次側端子およびグラウンド端子の先端側は、第１の絡げ端子よりもコアの底面側に向かって突出しているものである。
【００２３】
このように構成した場合には、二次側端子の先端側と第１の絡げ端子の先端側との高さ位置が異なるため、二次側巻線の一端側を、第１の絡げ端子に巻回させ易くなる。また、一次側端子およびグラウンド端子の先端側が、コアの底面側に向かって突出しているため、これら一次側端子およびグラウンド端子の先端側を、回路基板等に接続し易くなる。
【００２４】
また、他の発明は、上述の各発明に加えて更に、コアは、底面から上方に向かって立設されている柱脚部と、この底面の外周縁部において上方に向かって立設されている側壁とを具備するケースコアと、ケースコアに取り付けられると共に、このケースコアとの間の部位に二段コイルボビンおよび調整用コイルボビンが収納される蓋コアと、を具備するものである。
【００２５】
このように構成した場合には、二段コイルボビンと調整用コイルボビンは、側壁によって形成されるケースコアと蓋コアとの間の部位に収納される。そして、柱脚部と側壁とを有するケースコア、および蓋コアとの間で、磁路を形成することができ、二次側巻線を良好に励磁することができる。
【００２６】
さらに、他の発明は、上述の各発明に加えて更に、第１の絡げ端子の第１の端子台における付け根は、一次側端子およびグラウンド端子の第１の端子台における付け根よりもケースコアの短手方向の中心側に位置しているものである。
【００２７】
このように構成した場合、第１の絡げ端子の付け根および先端側は、一次側端子およびグラウンド端子の付け根および先端側よりも、短手方向の中心側に位置する。このため、当該第１の絡げ端子は、一次側端子およびグラウンド端子よりも奥まった状態となる。それにより、一次側端子の先端側を半田槽に浸して、該一次側端子を回路基板に半田付けする場合、第１の絡げ端子の先端側までは半田槽に浸されずに済む。それによって、第１の絡げ端子に巻回されている、細径の二次側巻線の一端側が、例えば熱等によって断線される等の不具合が発生せずに済む。
【発明の効果】
【００２８】
本発明によると、リーケージトランスの低背化を実現することができる。また、リーケージトランスの製造コストの低減を図ることが可能となる。
【発明を実施するための最良の形態】
【００２９】
以下、本発明の一実施の形態に係るリーケージトランスについて、図１から図１２に基づいて説明する。図１は、リーケージトランス１０の構成を示す分解斜視図であり、図２は、リーケージトランス１０の全体を示す斜視図である。また、図３はリーケージトランス１０の平面図、図４は同じく正面図、図５は同じく側面図、図６は同じく背面図を示す。
【００３０】
リーケージトランス１０は、図１に示すように、ケースコア２０と、二段コイルボビン３０と、調整用コイルボビン４０と、蓋コア５０と、を主要な構成要素としている。ケースコア２０と蓋コア５０は、絶縁性を備えた磁性材から構成されている。当該磁性材の一例として、ニッケル系のフェライトコアが挙げられる。しかしながら、ケースコア２０と蓋コア５０の材質はこれには限られず、パーマロイ等、他の磁性材であっても良い。また、二段コイルボビン３０および調整用コイルボビン４０は、例えば樹脂等の絶縁かつ励磁されない材質から構成されている。
【００３１】
図１に示すように、ケースコア２０は、コアの一部を構成する要素であり、平面形状が略矩形となる直方体形状に形成されている。また、ケースコア２０は、長手方向（図１において略左右の方向）の両端側に側壁２１を有していて、この側壁２１で囲まれる部分が、二段コイルボビン３０等が設置される凹陥部２２となっている。そのため、凹陥部２２は、ケースコア２０の長手方向の両端側においては側壁２１で閉塞されているものの、該ケースコア２０の短手方向（図３において略上下の方向）の縁部は開放されている。
【００３２】
また、ケースコア２０には、４本の柱脚部２３，２３，２４，２４が設けられている。柱脚部２３，２３，２４，２４は、底面２０ａから離間するように上方に向かって突出している。これらの柱脚部２３，２３，２４，２４は、凹陥部２２の短手方向および長手方向に沿う、直交する２つの対角線上に存在している。このうち、短手方向の対角線に沿う柱脚部２３，２３は、後述する調整用コイルボビン４０の差込孔４０ａ，４０ａに差し込まれる。また、長手方向の対角線に沿う柱脚部２４，２４は、後述する二段コイルボビン３０の中心孔３０ａ，３０ａに差し込まれる。また、各柱脚部２３の直径は、各柱脚部２４のそれよりも小さい。しかしながら、各柱脚部２３の直径を、各柱脚部２４の直径よりも大きくなるように形成しても良い。
【００３３】
なお、以下の説明では、直径の小さな各柱脚部２３を第１の柱脚部２３とする。また、第１の柱脚部２３よりも直径の大きな各柱脚部２４を第２の柱脚部２４とする。また、上方側とは、ケースコア２０の底面２０ａから見て、蓋コア５０が取り付けられる側を指す。また、下方側とは、蓋コア５０の取り付け側から見て、ケースコア２０の底面２０ａ側を指す。さらに、第１の柱脚部２３のうち、図１において手前側に存在するものを第１の柱脚部２３ａとし、図１において奥側に存在するものを第１の柱脚部２３ｂとする。また、第２の柱脚部２４のうち、図１において左側に存在するものを柱脚部２４ａとし、図１において右側に存在するものを柱脚部２４ｂとする。
【００３４】
また、二段コイルボビン３０は、図１および図２に示すように、一次側巻線７０および二次側巻線７１を巻回する巻線部３１と、この巻線部３１と一体的に設けられている第１の端子台３２ａおよび第２の端子台３２ｂを有している。
【００３５】
巻線部３１は、略円形状の平面形状を有している。また、巻線部３１には、上から下に向かって、上鍔部３１ａ、中鍔部３１ｂ、および下鍔部３１ｃが順次設けられている。ここで、上鍔部３１ａと中鍔部３１ｂとで囲まれる間の部位は、第１の巻枠部３４ａとなっていて、ここに一次側巻線７０を巻回する。また、中鍔部３１ｂと下鍔部３１ｃとで囲まれる部位は、第２の巻枠部３４ｂとなっていて、ここに二次側巻線７１を巻回する。
【００３６】
なお、図１においては、上鍔部３１ａ、中鍔部３１ｂおよび下鍔部３１ｃは、略円形状の平面形状を為す巻線部３１に対応して、該円形状の全周に亘るように設けられている。それによって、図１において、巻線部３１の形状は、その外観形状が二段の窪み部を有するプーリ形状となっている。しかしながら、上鍔部３１ａと中鍔部３１ｂとは、必ずしも全周に亘って設けられる必要はない。巻線部３１のうち、２つの二段コイルボビン３０が互いに対向しない側にだけ、一次側巻線７０が巻回されることから、二段コイルボビン３０が互いに対向する側には、上鍔部３１ａおよび中鍔部３１ｂを形成せず、第１の巻枠部３４が存在しない構成を採用しても良い。
【００３７】
また、第１の端子台３２ａおよび第２の端子台３２ｂは、図１においては、巻線部３１よりも下方側に位置している。第１の端子台３２ａは、図１において手前側、図３において下方側に突出している部分である。この第１の端子台３２ａには、側面３３ａと、側面３３ｂとが設けられている。このうち、側面３３ａは、リーケージトランス１０の短手方向に対して直交する側面である。
【００３８】
また、側面３３ｂは、側面３３ａに沿う直線に対して所定の角度α（以後、傾斜角度αという）を為すように設けられている。この傾斜角度αは、本実施の形態では、４５度となっている。しかしながら、傾斜角度αは、４５度には限られず、後述する絡げ端子３６の傾斜角度と同様に、適宜の傾斜角度に設定することができる。
【００３９】
また、図１〜図６に示すように、側面３３ｂは、２つ並べられた二段コイルボビン３０のうち、互いに隣り合う側ではなく、リーケージトランス１０の長手方向の両端側に近い向きに形成されている。すなわち、側面３３ｂは、リーケージトランス１０のうち、図３において手前側の隅角部に形成されている。
【００４０】
また、側面３３ａからは、端子３５が突出している。本実施の形態では、端子３５は、例えば４つ設けられている。なお、以下の説明では、端子３５を個別に呼ぶ場合、端子３５ａ〜３５ｅのいずれかとする。これらの５つの端子３５ａ〜３５ｅは、下方に向かって降下する下方突出部３７ａを有すると共に、下端側が設置部位に対して略水平となる面実装部３７ｂを有している。そして、各々の端子３５ａ〜３５ｅと設置部位との間で半田付けを行うことにより、端子３５ａ〜３５ｅと設置部位の回路基板とは、電気的に接続される。また、端子３５の個数は、５つに限定されず、例えば４つ等、種々変更可能である。
【００４１】
また、本実施の形態では、端子３５ｂ〜３５ｅのうち、所定の端子３５には、一次側巻線７０の一端側および他端側が接続され（絡げられ）る。なお、以下の説明では、端子３５ｂ〜３５ｅを、一次側端子３５ｂ〜３５ｅとする。また、後述するように、端子３５ａを、グラウンド端子３５ａとする。しかしながら、両者をまとめて呼ぶ場合、単に端子３５ａ〜３５ｅとする。
【００４２】
一次側端子３５ｂ〜３５ｅのうちの２つには、一次側巻線７０の一端側又は他端側が絡げられている。なお、これら一次側端子３５ｂ〜３５ｅのうち、一端側および他端側が絡げられる２つは、適宜選択可能である。
【００４３】
また、図１〜図６に示すように、側面３３ｂからは、絡げ端子３６（第１の絡げ端子に相当）が突出している。絡げ端子３６は、側面３３ｂの法線方向に向かって突出している。本実施の形態では、側面３３ｂは、リーケージトランス１０の短手方向に対して約４５度を為している。そのため、絡げ端子３６は、端子３５ａ〜３５ｅに対して、約４５度を為すように配置されている。すなわち、図３に示すように、絡げ端子３６の先端の方向が、側面３３ａと為す傾斜角度αは、約４５度となっている。
【００４４】
なお、傾斜角度αは、約４５度には限られず、絡げ端子３６に近接しているグラウンド端子３５ａに対して所定の隙間を生じさせる角度であって、二次側巻線７１の一端側を良好に絡げることが可能な角度範囲であれば、どのような角度範囲であっても良い。この傾斜角度αの範囲としては、例えば２０〜９０度の範囲とすることが挙げられる。
【００４５】
また、傾斜角度αは、３０〜６０度の範囲であれば、絡げ端子３６の先端側が、グラウンド端子３５ａの先端側に対して有効に広げられる。そのため、二次側巻線７１を、絡げ端子３６に良好に巻回させることが可能となる。さらに、絡げ端子３６は、側面３３ｂの法線方向へ向かって突出する構成には限られず、側面３３ｂの法線方向に対して斜めに突出する構成を採用しても良い。
【００４６】
また、傾斜角度αが約９０度の場合には、当該絡げ端子３６は、端子３５ａ〜３５ｅに対して斜め方向に突出しているとはいえないが、本実施の形態では、かかる約９０度の場合も、斜め方向への突出に含めることとする。
【００４７】
図４および図５に示すように、絡げ端子３６は、端子３５ａ〜３５ｅと略同一の高さ位置から外方に向かって突出している。しかしながら、絡げ端子３６は、端子３５ａ〜３５ｅよりもその大きさが小さい。すなわち、絡げ端子３６は、端子３５ａ〜３５ｅよりも突出長さ寸法が短く、また幅寸法が小さく、さらに高さ寸法も小さくなっている。しかしながら、絡げ端子３６は、二次側巻線７１を所定の回数だけ巻回させて、絡げるのに十分な大きさを有している。
【００４８】
また、絡げ端子３６は、グラウンド端子３５ａに対して電気的に接続されている。この場合、絡げ端子３６とグラウンド端子３５ａとは、例えば金属の一体成形物であっても良く、また別途の導線等を介して互いに接続されていても良い。また、グラウンド端子３５ａは、不図示の回路基板のグラウンド側に接続される。このため、絡げ端子３６が電位の基準となるように設けられている。
【００４９】
また、第２の端子台３２ｂは、図１において奥側、図３において紙面の上方側に突出している部分である。第２の端子台３２ｂは、本実施の形態では、１つの二段コイルボビン３０につき、２つ存在している。また、図３、図５および図６に示すように、第１の端子台３２ａと同様に、第２の端子台３２ｂのうち、二段コイルボビン３０の中心から見て外径側の側面からは、端子３８が突出している。本実施の形態では、端子３８は、例えば４つ設けられている。なお、以下の説明では、端子３８を個別に呼ぶ場合、端子３８ａ〜３８ｄとする。
【００５０】
これらの４つの端子３８ａ〜３８ｄのうち、内側には突出長さの小さな端子３８ｂ，３８ｃが設けられていると共に、外側には突出長さの大きな端子３８ａ，３８ｄが設けられている。これら端子３８ｂ、３８ｃのうち、一方側には、二次側巻線７１の他端側が絡げられる。なお、以下の説明では、二次側巻線７１の他端側が絡げられる端子３８ｂ，３８ｃを、特に絡げ端子３８ｂ，３８ｃと呼ぶ。絡げ端子３８ｂおよび絡げ端子３８ｃの両者とも、二次側巻線７１の他端側が絡げられる可能性があり、当該絡げ端子３８ｂ，３８ｃは、第２の絡げ端子に相当する。
【００５１】
なお、端子３８ａと絡げ端子３８ｂは、互いに導通すると共に、絡げ端子３８ｃと端子３８ｄは、互いに導通している。そのため、一次側巻線７０によって励磁された二次側巻線７１は、所定の電位を、絡げ端子３８ｂから端子３８ａ、絡げ端子３８ｃから端子３８ｄにそれぞれ出力する。また、端子３８ａおよび端子３８ｄは、夫々回路基板上に接続されるため、当該励磁によって生じた交流電流は、この回路基板に存在する所定の回路に流れる。
【００５２】
また、端子３８ａ，３８ｄは、上述した端子３５ａ〜３５ｅと同様に、下方に向かって降下する下方突出部３９ａを有すると共に、下端側が設置部に対して略水平となる面実装部３９ｂを有している。
【００５３】
また、図６に示すように、第１の端子台３２ａおよび第２の端子台３２ｂの背面側には、導出部３３ｃが設けられている。導出部３３ｃは、二次側巻線７１を、巻回部分から外部の絡げ端子３６、および絡げ端子３８ｂ，３８ｃのいずれかに向かって導出させる際に、当該二次側巻線７１の導線（不図示）が位置する窪み部分である。この導出部３３ｃには、突起３３ｄが設けられている。突起３３ｄは、その外面側で導線を受け止めることが可能な部分である。
【００５４】
ここで、二次側巻線７１の導線を絡げ端子３６、および絡げ端子３８ｂ，３８ｃのいずれかに向かって導出させる場合には、当該導線を突起３３ｄに接触させる。その後に、突起３３ｄへの導線の接触が維持される向きに、当該導線を絡げ端子３６に巻回させる。このように導線を絡げ端子３６、および絡げ端子３８ｂ，３８ｃに巻回することにより、導線が弛むのを防ぐことができる。
【００５５】
なお、図１および図６に示すように、ケースコア２０には、第２の端子台３２ｂの嵌合に対応させて、切欠部２５が設けられている。この切欠部２５は、本実施の形態では、図６において一側辺（図６においては、紙面の上方側の側辺）に沿って、２つ設けられている。また、ケースコア２０には、第１の端子台３２ａ側において、絡げ端子３６に巻回される導線を導出させるための切欠部２６も設けられている。
【００５６】
また、二段コイルボビン３０が対向する間の部位には、調整用コイルボビン４０が配置される。調整用コイルボビン４０は、図７〜図１２に示すように、一次側巻線７０の調整部分７０ａが巻回される部分である。また、調整用コイルボビン４０は、リーケージトランス１０の短手方向を長手とするように配置される。しかも、調整用コイルボビン４０は、その中心を通る短手方向に沿う線を境として、対称となるように設けられている。
【００５７】
図１および図７に示すように、調整用コイルボビン４０には、その長手方向に沿って、一対の筒状部分４１が設けられている。この筒状部分４１には、調整用コイルボビン４０を上下方向に貫くように、差込孔４０ａが設けられている。差込孔４０ａには、上述した第１の柱脚部２３ａ，２３ｂが差し込まれる。また、調整用コイルボビン４０の上方には、略平板状の上面部４２が設けられている。この上面部４２は長尺体であり、調整用コイルボビン４０の長手に沿って設けられている。この上面部４２のうち、差込孔４０ａよりも端部側の部分は、筒状部分４１よりも長手方向の端部側に向かって突出する上鍔部４２ａとなっている。
【００５８】
また、上面部４２よりも下方側には、該上面部４２と対向する状態で、中面部４３が設けられている。中面部４３は、上述の上面部４２と略同一の平板状となるように設けられている。また、中面部４３のうち、差込孔４０ａよりも端部側の部分は、筒状部分４１よりもよりも長手方向の端部側に向かって突出する下鍔部４３ａとなっている。この下鍔部４３ａと、上鍔部４２ａと、筒状部分４１の外周面とで囲まれた部分は、調整部分７０ａを巻回する調整用巻枠部４４である。
【００５９】
また、下鍔部４３ａのうち、図１において手前側の部分には、先割れ部４６が設けられている。先割れ部４６は、一次側巻線７０を、いずれかの一次側端子３５ｂ〜３５ｅに引き出すためのガイドとして機能する。ここで、図１に示すように、先割れ部４６は、複数のスリット状部分を有していて、このスリット状部分に一次側巻線７０が挿通される。それによって、一次側巻線７０は、下方へガイドされ、いずれかの一次側端子３５ｂ〜３５ｅに絡げられる。なお、この先割れ部４６は、省略されても良い。
【００６０】
また、上面部４２、中面部４３および底面部４５は、対向配置される二段コイルボビン３０の間の部位に設けられる。そのため、これら上面部４２、中面部４３および底面部４５のうち、それらの短手方向に沿う両側縁部には、湾曲凹部４７が設けられている。夫々の湾曲凹部４７は、二段コイルボビン３０の上鍔部３１ａ、中鍔部３１ｂおよび下鍔部３１ｃの外周縁部に倣った形状に形成されている。
【００６１】
本実施の形態では、上鍔部４２ａのうち、長手方向の端部側には、後述する切欠部５３に嵌め込まれる、図１〜図３に示すような位置決め突起４８が設けられている。位置決め突起４８は、その平面形状が略アーモンド形状の突起となるように設けられている。本実施の形態では、２つの位置決め突起４８が、調整用コイルボビン４０の長手方向に沿って配置されている。
【００６２】
なお、位置決め突起４８の形状は、図１〜図３に示す形状には限られない。例えば、外観形状が略台形状の位置決め突起を用いても良い。その他、位置決め突起は、例えば円柱状等、種々の形状に形成することが可能である。
【００６３】
また、ケースコア２０の上部には、コアの構成要素となる蓋コア５０が位置する。蓋コア５０には、例えば図１２に示すように、上述の凹陥部２２に対応する、凹部５１が形成されている。凹部５１には、上述の柱脚部２３，２４と対向するように、突出長さの小さな突出部５２が設けられている。この突出部５２は、蓋コア５０がケースコア２０に取り付けられた状態で、柱脚部２３，２４に対して、僅かな隙間ｇ（図１２参照）を有する状態で対向する。
【００６４】
なお、本実施の形態では、突出部５２は、二段コイルボビン３０の中心孔３０ａに差し込まれない。しかしながら、突出部５２も、柱脚部２３，２４と共に、二段コイルボビン３０の中心孔３０ａに差し込まれるように構成しても良い。この場合には、柱脚部２３，２４の上端よりも、二段コイルボビン３０の上端面の高さ位置を高くすれば良い。このようにすれば、突出部５２が中心孔３０ａに差し込まれるため、後述する位置決め突起４８および切欠部５３を設けなくても、蓋コア５０がずれるのを防ぐことができる。
【００６５】
また、蓋コア５０の凹部５１に、突出部５２等を設けずにフラットな構成としても良い。この場合、柱脚部２３，２４が側壁２１より若干短く、柱脚部２３，２４と蓋コア５０との間にギャップが形成されるように構成しても良い。
【００６６】
また、蓋コア５０は、図１〜図３に示すように、その平面形状が略矩形状であると共に、この略矩形状の長辺から上方に向かって、円弧状に切り欠かれた切欠部５３を有している。この切欠部５３には、上述の位置決め突起４８が嵌め込まれる。本実施の形態では、切欠部５３は２つの長辺に１つずつ、計２つ設けられている。なお、蓋コア５０の形状は、種々変更可能である。例えば、蓋コア５０の外観は、凹陥部２２を良好に塞ぐことができるように、凹陥部２２を塞げる程度にやや大きな略相似形状としても良い。
【００６７】
以上のような構成を有するリーケージトランス１０の製造方法について、以下に説明する。なお、この製造方法の説明に際しては、図７〜図１２に基づいて説明する。また、この製造方法の説明においては、製造に際して用いられる冶具６０の構成についても説明する。
【００６８】
まず、調整用巻枠部４４に対して、一次側巻線７０を巻回させ、調整部分７０ａを形成する。この場合、一次側巻線７０の巻数は、例えば最低限２〜３巻程度の巻数で良い。調整部分７０ａを形成する場合、一次側巻線７０のうち巻回されない他の部分は、巻線機の巻線ノズルによって引き伸ばした状態としておく。
【００６９】
次に、調整用コイルボビン４０を、冶具６０（図７参照）に取り付ける。冶具６０は、その平面形状が、位置決め突起４８等と干渉しない形状に形成されている。この冶具６０には、第１の突出部６１ａ，６１ｂが設けられている（図７他参照）。第１の突出部６１ａ，６１ｂは、上述した第１の柱脚部２３ａ，２３ｂと同じ直径を有している。このため、差込孔４０ａに第１の突出部６１ａ，６１ｂを差し込んでも、調整用コイルボビン４０がガタつかずに済む。ここで、調整用コイルボビン４０は、冶具６０よりも下方に位置する状態で取り付けられる（図７他参照）。
【００７０】
なお、一次側巻線７０が調整用コイルボビン４０に巻回される工程よりも、該調整用コイルボビン４０を冶具６０に取り付ける工程を先に実行するようにしても良い。
【００７１】
また、第２の巻枠部３４ｂには、二次側巻線７１を巻回させておく。この場合、二次側巻線７１の他端側は、２つの絡げ端子３８ｂ，３８ｃのうちいずれかに絡げさせておく。次に、二次側巻線７１を第２の巻枠部３４ｂに巻回させる。そして、最後に、二次側巻線７１の一端側を絡げ端子３６に絡げさせる。このようにして、二次側巻線７１の巻回が終了する。なお、最初に、二次側巻線７１の一端側を絡げ端子３６に絡げさせると共に、最後に二次側巻線７１の他端側を２つの絡げ端子３８ｂ，３８ｃのうちいずれかに絡げさせるようにしても良い。
【００７２】
そして、二次側巻線７１の巻回後であって、調整用コイルボビン４０が冶具６０に取り付けられた後に、該冶具６０に対して二段コイルボビン３０を取り付ける（図８参照）。ここで、図７等に示すように、冶具６０には、第２の突出部６２ａ，６２ｂが設けられている。この第２の突出部６２ａ，６２ｂは、上述した第２の柱脚部２４ａ，２４ｂと同じ直径を有している。このため、二段コイルボビン３０の中心孔３０ａに二段コイルボビン３０を差し込んでも、該二段コイルボビン３０はガタつかない。
【００７３】
二段コイルボビン３０を冶具６０に取り付けた後に、第１の巻枠部３４ａに対して一次側巻線７０を巻回させる（図９参照）。この場合、上述した調整部分７０ａを形成し終えた後の一次側巻線７０を巻回させる。この一次側巻線７０は、巻線機の巻線ノズルによって引き伸ばされている。その状態で、第１の巻枠部３４ａを巻回するように、巻線機を作動させる。すると、一次側巻線７０の引き伸ばし部分が、順次第１の巻枠部３４ａに巻回される。
【００７４】
一次側巻線７０を所定の巻数だけ巻回した後に、凹陥部２２に調整用コイルボビン４０および二段コイルボビン３０を嵌め込む（図１０、図１１参照）。この場合、第１の柱脚部２３ａ，２３ｂおよび第２の柱脚部２４ａ，２４ｂの先端側が、夫々中心孔３０ａおよび差込孔４０ａの下方側から徐々に差し込まれるようにする。すると、差し込みが進行するにつれて、第１の柱脚部２３ａ，２３ｂおよび第２の柱脚部２４ａ，２４ｂの先端側に押されて、冶具６０が外される。
【００７５】
次に、凹陥部２２を塞ぐように、蓋コア５０をケースコア２０に対して取付固定する（図１２参照）。この場合、切欠部５３に位置決め突起４８が嵌め込まれる状態で、蓋コア５０を取り付ける。また、蓋コア５０を取り付けた場合、図１２に示すように、突出部５２が柱脚部２３，２４の夫々と、隙間ｇを有して対向する状態となる。
【００７６】
また、図１および図２において手前側および奥側に、不図示の側壁コアを取り付け、凹陥部２２の手前側および奥側を塞ぐようにしても良い。このようにすれば、凹陥部２２の開放部分が側壁コアで塞がれて、磁束が外部に漏れるのを低減する。
【００７７】
以上のような工程を実行することにより、リーケージトランス１０は、図２〜図６および図１２に示すような完成状態となる。なお、リーケージトランス１０の完成後、端子３５ａ〜３５ｅ，３８ａ，３８ｄの先端側を半田槽に浸して、当該先端側に半田を塗布する。そして、この先端側と、不図示の回路基板の所定部位との間の位置合わせを行い、両者を接合させる。この場合、回路基板側にも、半田が塗布された状態で接合させるようにしても良い。
【００７８】
このような構成のリーケージトランス１０においては、絡げ端子３６には、二次側巻線７１の一端側が絡げられる。また、絡げ端子３８ｂ，３８ｃのいずれかには、二次側巻線７１の他端側が絡げられる。そのため、二次側巻線７１の一端側と他端側とは、それぞれ異なる方向に配置された端子台３２ａ，３２ｂに向かって配線される。それによって、二次側端子７１の一端側と他端側との間の距離が離され、埃等が付着した場合でも、互いに短絡するのが防止される。
【００７９】
また、かかる短絡を防ぐことにより、リーケージトランス１０が破損するのが防止される。特に、二次側巻線７１の一端側と他端側との間には、励磁によって高い電位差が生じる。そのため、上述のようにして短絡を防止すれば、リーケージトランス１０の破損を良好に防止できる。
【００８０】
また、絡げ端子３６は、端子３５ａ〜３５ｅに対して傾斜して設けられている。このため、絡げ端子３６の先端側に向かうにつれて、隣接するグラウンド端子３５ａとの間の間隔が広がる。そのため、絡げ端子３６とグラウンド端子３５ａとの間の間隔を、必要以上に広く取る必要がなくなる。特に、上述の実施の形態では、傾斜角度αは、側面３３ａに対して、約４５度を為すように設けられている。そのため、絡げ端子３６の先端側は、グラウンド端子３５ａの先端側に対して、有効に広げられ、二次側巻線７１を、絡げ端子３６に良好に巻回させることが可能となる。
【００８１】
また、絡げ端子３６は、端子３５ａ〜３５ｅに対して傾斜した状態で突出すると共に、絡げ端子３６の先端側は、端子３５ａ〜３５ｅの先端側よりも、外方に突出していない。このため、端子３５ａ〜３５ｅの先端側を半田槽に浸して、該端子３５ａ〜３５ｅを回路基板に半田付けする場合、絡げ端子３６までは半田槽に浸されずに済む。それによって、絡げ端子３６に巻回されている、細径の二次側巻線７１の一端側が、例えば熱等によって断線される等の不具合が発生せずに済む。
【００８２】
また、絡げ端子３６は、グラウンド端子３５ａに接続されていると共に、このグラウンド端子３５ａは、絡げ端子３６に隣り合う状態で配置されている。そのため、絡げ端子３６に二次側巻線７１の一端側が絡げられた場合、この二次側巻線７１の一端側は、グラウンドに接続された状態となる。それによって、当該一端側は、電位の基準となる。また、絡げ端子３６に絡げられている二次側巻線７１が、グラウンド端子３５ａに接触しても良く、二次側巻線７１の一端側を絡げ端子３６に巻回させるに際して、必要以上に注意せずに済む。
【００８３】
さらに、二段コイルボビン３０には、第１の巻枠部３４ａと、第２の巻枠部３４ｂとが設けられている。このため、従来のように、コイルボビンを２つ高さ方向に重ねた場合（図１０参照）と比較して、１つのコイルボビンを設けるだけで済み、部品点数を少なくすることができる。それによって、コイルボビンの組み付けの際の工数を削減可能となる。
【００８４】
特に、二段コイルボビン３０は、上鍔部３１ａ、中鍔部３１ｂおよび下鍔部３１ｃを有し、これら上鍔部３１ａと中鍔部３１ｂの間に第１の巻枠部３４ａが、中鍔部３１ｂと下鍔部３１ｃの間に第２の巻枠部３４ｂが設けられる。このため、中鍔部３１ｂが、第１の巻枠部３４ａの下鍔の役割と、第２の巻枠部３４ｂの上鍔の役割とを兼ねる。そのため、コイルボビンを２つ高さ方向に重ねた場合と比較して鍔部が１つ分だけ省かれ、その分だけ高さを低くすることができ、リーケージトランス１０の低背化に貢献する。
【００８５】
また、第１の端子台３２ａと、第２の端子台３２ｂとは、二段コイルボビン３０と一体的に設けられている。このため、二段コイルボビン３０に対して第１の端子台３２ａおよび第２の端子台３２ｂの位置がずれることがない。それによって、二次側巻線７１の一端側を絡げ端子３６に、他端側を絡げ端子３８ｂ，３８ｃに絡げた後に、当該二次側巻線７１の巻回が緩んだり、二次側巻線７１が断線する等の不具合を防止することができる。
【００８６】
また、調整用コイルボビン４０が設けられるので、該調整用コイルボビン４０のうち調整用巻枠部４４に調整部分７０ａが巻回される。それにより、調整部分７０ａを、調整用巻枠部４４で確実に保持することができる。
【００８７】
特に、調整用コイルボビン４０は、上鍔部４２ａと下鍔部４３ａとで区切られた調整用巻枠部４４を有しているので、この調整用巻枠部４４が、調整部分７０ａの巻回に際して、ガイドの役割を果たす。それにより、調整部分７０ａの巻回が確実となる。また、調整用コイルボビン４０には、巻線機を用いて一次側巻線７０を容易に巻回させることができる。そのため、該調整用コイルボビン４０を設けず、直接ケースコア２０内に存在する第１の柱脚部２３等に一次側巻線７０を巻回させる場合と比較して、人手を要さずに一次側巻線７０を巻回させることができ、もって作業効率を向上させることができる。
【００８８】
また、２つの第１の巻枠部３４ａに対して、一次側巻線７０が掛け渡される状態で巻回される。そのため、一次側巻線７０の巻回に際して、該一次側巻線７０のボンディングが不要となり、コストを削減することが可能となる。
【００８９】
さらに、二段コイルボビン３０は２つ設けられ、該２つの二段コイルボビン３０が対向する間の部位に、調整用コイルボビン４０が配置される。このため、二段コイルボビン３０への巻回に先立って一次側巻線７０を巻回して調整部分７０ａを形成し、その後に二段コイルボビン３０を調整用コイルボビン４０に隣接する状態で両隣に配置すれば、一次側巻線７０の全体を、調整用コイルボビン４０および二段コイルボビン３０によって良好に保持させることができる。また、かかる保持により、一次側巻線７０のボンディングが不要となる。
【００９０】
また、絡げ端子３６は、棒状体に設けられていると共に、端子３５ａ〜３５ｅの先端側は、絡げ端子３６よりもケースコア２０の底面側に向かって突出している。そのため、二次側端子７１の先端側と絡げ端子３６の先端側との高さ位置が異なる。それによって、二次側巻線７１の一端側を、第１の絡げ端子に巻回させ易くなる。また、端子３５ａ〜３５ｅの先端側が、ケースコア２０の底面側に向かって突出しているため、当該端子３５ａ〜３５ｅの先端側を、回路基板等に接続し易くなる。
【００９１】
また、コアは、ケースコア２０と蓋コア５０とを具備し、このうちケースコア２０には、第１の柱脚部２３、第２の柱脚部２４および側壁２１とが設けられている。このため、二段コイルボビン３０と調整用コイルボビン４０は、側壁２１によって形成される凹陥部２２に収納される。そして、第１の柱脚部２３、第２の柱脚部２４および側壁２１を有するケースコア２０、並びに蓋コア５０との間で、磁路を形成することができ、二次側巻線７１を良好に励磁することができる。
【００９２】
さらに、絡げ端子３６の付け根は、端子３５ａ〜３５ｅ付け根よりも、ケースコア２０の短手方向の中心側に位置している。このため、絡げ端子３６の始点は、端子３５ａ〜３５ｅの付け根よりも奥まった状態となる。また、本実施の形態では、リーケージトランス１０の短手方向に対して約４５度を為している側面３３ｂに、絡げ端子３６の付け根が存在している。このため、側面３３ｂが、側面３３ａと同一方向を向いている場合と比較して、側面３３ｂの面積を広く取ることができ、二次側巻線７１を巻回させた場合に、当該二次側巻線７１を良好に受け止めることができる。
【００９３】
また、絡げ端子３６の先端側は、ケースコア２０の長手方向の端部よりも該ケースコア２０の長手方向の中心側に位置している。このため、絡げ端子３６は、ケースコア２０の長手方向の端部よりも外方に向かって突出しない。それにより、絡げ端子３６が外部に突出し過ぎない。そのため、例えばノート型パーソナルコンピュータの内部等へリーケージトランス１０を設置しても、絡げ端子３６が邪魔になることがない。また、リーケージトランス１０のコンパクト化を図ることもできる。
【００９４】
以上、本発明の一実施の形態について説明したが、本発明はこれ以外にも種々変形可能となっている。以下、それについて述べる。
【００９５】
上述の実施の形態では、第１の端子台３２ａには側面３３ｂが設けられ、この側面３３ｂから絡げ端子３６が突出している。しかしながら、側面３３ｂから絡げ端子３６が突出する構成とはしなくても良い。例えば、リーケージトランス１０の短手方向に対して傾斜している側面３３ｂを設けずに、当該短手方向に対して平行な側面を設け、この側面から絡げ端子３６を突出させるようにしても良い。
【００９６】
また、上述の実施の形態では、絡げ端子３６は、端子３５ａ〜３５ｅよりも細い、直線状の棒状体から構成されている。しかしながら、絡げ端子３６の形状は、これに限られない。例えば、絡げ端子３６の形状を鉤状に形成し、二次側巻線７１の一端側を絡げ易くしても良い。また、上述の実施の形態では、第１の端子台３２ａおよび第２の端子台３２ｂは、二段コイルボビン３０と一体的に設けられている。しかしながら、これらを別体的に設けるように構成しても良い。この場合、例えば第１の端子台３２ａのみ、又は第２の端子台３２ｂのみを、別体的に設ける構成を採用することができる。この場合には、別体的な端子台を組み付けた後に、二次側巻線７１が絡げられる。
【００９７】
また、上述の実施の形態では、絡げ端子３６と、グラウンド端子３５ａとは、接続されている。しかしながら、両者を接続せずに、別個独立した存在としても良い。また、別個独立させる場合に、絡げ端子３６をグラウンドさせるようにしても良い。
【００９８】
また、上述の実施の形態では、二段コイルボビン３０を用いて、この二段コイルボビン３０に一次側巻線７０と二次側巻線７１とを巻回させている。しかしながら、二段コイルボビン３０以外のコイルボビンを用いる構成を採用しても良い。例えば、一次側巻線７０を巻回させるコイルボビンと、二次側巻線７１を巻回させるコイルボビンとを別体的に設け、両者を重ねるように配置しても良い。この場合でも、高圧側の二次側巻線７１の一端側と他端側との間で短絡が生じるのを防止することができ、良好な作用効果を奏させることができる。それにより、リーケージトランス１０の破損を防止することができる。
【００９９】
また、上述の実施の形態では、二段コイルボビン３０の個数を２つとしている。しかしながら、二段コイルボビン３０の個数は、２つに限られるものではなく、例えば４つ設ける等、種々変更可能である。なお、二段コイルボビン３０の個数を、例えば４つ設ける場合には、第２の柱脚部２４を４つ設ける必要があるが、その場合でも、２つの巻枠部３４ａ，３４ｂを有するため、低背化を達成することができる。また、一次側巻線７０のボンディングも不要となる。
【０１００】
さらに、上述の実施の形態では、端子３５ａ〜３５ｅおよび端子３８ａ，３８ｄは、面実装される面実装部３７ｂ，３９ｂを有している。しかしながら、端子３５ａ〜３５ｅ、および端子３８ａ，３８ｄは、面実装部３７ｂ，３９ｂを有する構成には限られず、例えば、回路基板に差し込まれるように、下方に向かって突出する構成を採用しても良い。
【０１０１】
また、上述のリーケージトランス１０は、ノート型パーソナルコンピュータの表示装置におけるバックライト用放電灯として使用される場合には限られず、種々の電子機器に用いることが可能である。その例としては、携帯電話装置の表示装置、カーナビゲーションの表示装置、蛍光灯、ＰＤＰ等が挙げられる。
【０１０２】
さらに、上述の実施の形態では、コアは、図１において手前側および奥側が開放したケースコア２０と、蓋コア５０から構成されている。しかしながら、コアはこれに限られない。例えば、側壁２１がケースコア２０の側縁の全周に亘って設けられるように構成しても良い。
【０１０３】
また、上述の実施の形態では、上鍔部３１ａ、中鍔部３１ｂ、および下鍔部３１ｃは、巻線部３１の円弧のうち、少なくとも２つの巻線部３１が対向しない側に連続的に設けられている。しかしながら、これら上鍔部３１ａ、中鍔部３１ｂ、および下鍔部３１ｃは、このように設けられる必要はない。例えば、上鍔部３１ａ、中鍔部３１ｂ、および下鍔部３１ｃの一部を所定間隔で切り欠いた、間欠形状としても良い。
【産業上の利用可能性】
【０１０４】
本発明のリーケージトランスは、例えばノート型パーソナルコンピュータの表示装置のバックライト用放電灯として利用することができる。
【図面の簡単な説明】
【０１０５】
【図１】本発明の一実施の形態に係るリーケージトランスの構成を示す分解斜視図である。
【図２】図１のリーケージトランスの全体を示す斜視図である。
【図３】図１のリーケージトランスの構成を示す平面図である。
【図４】図１のリーケージトランスの構成を示す正面図である。
【図５】図１のリーケージトランスの構成を示す側面図である。
【図６】図１のリーケージトランスの構成を示す背面図である。
【図７】図１のリーケージトランスの製造方法を説明する図であり、調整用コイルボビンを冶具に保持させた状態を説明する端面図である。
【図８】図１のリーケージトランスの製造方法を説明する図であり、冶具に二段コイルボビンを保持させた状態を示す端面図である。
【図９】図１のリーケージトランスの製造方法を説明する図であり、二段コイルボビンの第１の巻枠部に一次側巻線が巻回された状態を示す端面図である。
【図１０】図１のリーケージトランスの製造方法を説明する図であり、二段コイルボビンおよび調整用コイルボビンを冶具に保持された状態でケースコアに差し込む直前の状態を示す端面図である。
【図１１】図１のリーケージトランスの製造方法を説明する図であり、ケースコアに二段コイルボビンおよび調整用コイルボビンが取り付けられた状態を示す端面図である。
【図１２】図１のリーケージトランスの製造方法を説明する図であり、蓋コアが取り付けられて、リーケージトランスが完成した状態を示す断面図である。
【符号の説明】
【０１０６】
１０…リーケージトランス
２０…ケースコア（コアの一部）
２１…側壁部
２２…凹陥部
２３，２３ａ，２３ｂ…第１の柱脚部（柱脚部）
２４，２４ａ，２４ｂ…第２の柱脚部（柱脚部）
３０…二段コイルボビン
３１…巻線部
３１ａ…上鍔部
３１ｂ…中鍔部
３１ｃ…下鍔部
３２ａ…第１の端子台
３２ｂ…第２の端子台
３４ａ…第１の巻枠部
３４ｂ…第２の巻枠部
３５ａ…グラウンド端子
３５ｂ〜３５ｅ…一次側端子
３６…絡げ端子（第１の絡げ端子）
３８ａ，３８ｄ…端子
３８ｂ，３８ｃ…絡げ端子
４０…調整用コイルボビン
４２…上面部
４２ａ…上鍔部
４３…中面部
４３ａ…下鍔部
４４…巻枠部
４６…先割れ部
４８…位置決め突起
５０…蓋コア（コアの一部）
６０…冶具
６１ａ，６１ｂ…第１の突出部
６１ｃ，６１ｄ…第２の突出部
７０…一次側巻線
７０ａ…調整部分
７１…二次側巻線
【図１】
2005101357.tif 000003
【図２】
2005101357.tif 000004
【図３】
2005101357.tif 000005
【図４】
2005101357.tif 000006
【図５】
2005101357.tif 000007
【図６】
2005101357.tif 000008
【図７】
2005101357.tif 000009
【図８】
2005101357.tif 000010
【図９】
2005101357.tif 000011
【図１０】
2005101357.tif 000012
【図１１】
2005101357.tif 000013
【図１２】
2005101357.tif 000014